(57)【要約】【課題】  メンテナンスが容易な建造物除湿システムを提供すること。【解決手段】  建造物４２と、建造物４２の床下に設けられ、除湿剤を格納すべく設けられた２つの除湿剤格納室４０と、除湿剤格納室４０のそれぞれに建造物４２の外部から空気を導く、２本の吸気パイプ４４と、除湿剤を乾燥すべく、２本の吸気パイプ４４の任意の一方に温風を供給する、床下の外部に設けられる温風供給先切り替え弁５８と、乾燥された除湿剤によって空気を除湿すべく、温風よりも温度の低い冷風を２本の吸気パイプ４４の他方へ供給する、床下の外部に設けられる冷風供給先切り替え弁４８と、冷風が供給された除湿剤格納室４０から建造物４２の内部へ空気を導く内部配管５４と、除湿剤格納室４０を通過した温風を、建造物４２の外部に排気する排気部５６とを備えた。【選択図】  図１
2006052893.tif 000002
【特許請求の範囲】
【請求項１】
建造物と、
前記建造物の床下に設けられ、除湿剤を格納すべく設けられた、２つの除湿剤格納室と、
前記除湿剤格納室のそれぞれに前記建造物の外部から空気を導く、２本の吸気パイプと、
前記除湿剤を乾燥すべく、前記２本の吸気パイプの任意の一方に温風を供給する、前記床下の外部に設けられる温風供給先切り替え部と、
乾燥された前記除湿剤によって空気を除湿すべく、前記温風よりも温度の低い冷風を前記２本の吸気パイプの他方へ供給する、前記床下の外部に設けられる冷風供給先切り替え部と、
前記冷風が供給された前記除湿剤格納室から前記建造物の内部へ空気を導く内部配管と、
前記除湿剤格納室を通過した前記温風を、前記建造物の外部に排気する排気部と
を備える建造物除湿システム。
【請求項２】
前記建造物の前記床下よりもさらに地下に設けられる地下配管を更に備え、
前記内部配管は、前記除湿剤格納室に格納された前記除湿剤によって除湿された前記冷風を、前記地下配管を用いて前記地下で冷却した後に前記建造物の内部に導く請求項１に記載の建造物除湿システム。
【請求項３】
前記除湿剤格納室を通過した前記温風および前記冷風を、前記内部配管または前記排気部の任意の一方へ導く排出先切り替え部を更に備え、
前記排出先切り替え部は、前記床下の外部に設けられる請求項２に記載の建造物除湿システム。
【請求項４】
前記吸気パイプの内部の前記温風および前記冷風を、前記除湿剤格納室に送風する送風ファンを更に備え、
前記送風ファンは、前記床下の外部に設けられる請求項３に記載の建造物除湿システム。
【請求項５】
前記除湿剤格納室を通過した前記温風および前記冷風を、前記地下を経由せずに直接前記建造物の内部へ導く内部直通配管を更に備え、
前記排出先切り替え部は、前記建造物の内部を除湿する場合に、前記除湿剤格納室を通過した前記冷風を、前記地下配管を用いて前記建造物の内部へ導き、前記建造物の内部を加湿する場合に、前記除湿剤格納室を通過した前記温風を、前記内部直通配管を用いて前記建造物の内部へ導く請求項４に記載の建造物除湿システム。
【発明の詳細な説明】
【技術分野】
【０００１】
本発明は、メンテナンスが容易な建造物除湿システムに関する。特に本発明は、乾燥された除湿剤によって空気を除湿する、建造物除湿システムに関する。
【背景技術】
【０００２】
従来から除湿剤の吸湿作用を利用したデシカント型の空調装置が知られている。例えば、回転する除湿ロータに加熱された空気を供給して、加熱された空気で除湿ロータの水分を蒸発させた後に外部に排気し、一方、室外の空気を除湿ロータへ供給して、除湿された室外の空気を室内に給気するデシカント除湿システムが知られている（例えば、特許文献１参照。）。
【特許文献１】特開２００２−２７６９９８号公報
【発明の開示】
【発明が解決しようとする課題】
【０００３】
従来のデシカント除湿システムでは、空気を送風するファンや除湿ロータなどの駆動部を建造物の床下等に設置した場合には、駆動部のメンテナンスが困難であった。
【０００４】
また、除湿ロータ内の除湿剤や除湿ロータ本体は、除湿剤が乾燥される過程においては、加熱された空気によって温度が上昇する。したがって、温度が上昇した除湿ロータ内の除湿剤や除湿ロータ本体に、室内を除湿する空気を供給した場合には、室内への給気温度が上昇するという問題もあった。
【課題を解決するための手段】
【０００５】
このような課題を解決するために、本発明の第１の形態における建造物除湿システムは、建造物と、建造物の床下に設けられ、除湿剤を格納すべく設けられた、２つの除湿剤格納室と、除湿剤格納室のそれぞれに建造物の外部から空気を導く、２本の吸気パイプと、除湿剤を乾燥すべく、２本の吸気パイプの任意の一方に温風を供給する、床下の外部に設けられる温風供給先切り替え部と、乾燥された除湿剤によって空気を除湿すべく、温風よりも温度の低い冷風を２本の吸気パイプの他方へ供給する、床下の外部に設けられる冷風供給先切り替え部と、冷風が供給された除湿剤格納室から建造物の内部へ空気を導く内部配管と、除湿剤格納室を通過した温風を、建造物の外部に排気する排気部とを備えた。
【０００６】
建造物除湿システムの可動部は、床下の外部に設けられているので、可動部のメンテナンスが容易である。また、建造物の床下に除湿剤格納室が備えられているので、床下の温度が上昇することによって、床下の結露を防ぐことができる。また、床下の結露による建造物の劣化を防ぐことができる。また、除湿剤格納室内の除湿剤によって除湿された空気を建造物の内部に供給している場合に、他の除湿剤格納室内の除湿剤を乾燥させることができる。
【０００７】
また本形態における建造物除湿システムは、建造物の床下よりもさらに地下に設けられる地下配管を更に備え、内部配管は、除湿剤格納室に格納された除湿剤によって除湿された空気を、地下配管を用いて地下で冷却した後に建造物の内部に導く。このため、除湿剤によって乾燥されると同時に温度が上昇した空気を、冷却するためのエネルギーを削減できる。
【０００８】
また本形態における建造物除湿システムは、除湿剤格納室を通過した温風および冷風を、内部配管または排気部の任意の一方へ導く排出先切り替え部を更に備え、排出先切り替え部は床下の外部に設けられる。このため、排出先切り替え部のメンテナンスが容易である。また本形態における建造物除湿システムは、吸気パイプの内部の温風および冷風を、除湿剤格納室に送風する送風ファンを更に備え送風ファンは、床下の外部に設けられる。このため、送風ファンのメンテナンスが容易である。
【０００９】
また本形態における建造物除湿システムは、除湿剤格納室を通過した温風および冷風を、地下を経由せずに直接建造物の内部へ導く内部直通配管を更に備え、排出先切り替え部は、建造物の内部を除湿する場合に、除湿剤格納室を通過した冷風を、地下配管を用いて建造物の内部へ導き、建造物の内部を加湿する場合に、除湿剤格納室を通過した温風を、内部直通配管を用いて建造物の内部へ導く。このため、建造物の内部を加湿する必要がある場合には、建造物の内部に加湿された空気を供給することができる。
【００１０】
なお上記の発明の概要は、本発明の必要な特徴の全てを列挙したものではなく、これらの特徴群のサブコンビネーションも又発明となりうる。
【発明の効果】
【００１１】
本発明によれば、建造物の床下の外部に可動部を有するので、システムのメンテナンスが容易である。
【発明を実施するための最良の形態】
【００１２】
以下、発明の実施の形態を通じて本発明を説明するが、以下の実施形態は特許請求の範囲にかかる発明を限定するものではなく、又実施形態の中で説明されている特徴の組み合わせの全てが発明の開発手段に必須であるとは限らない。
【００１３】
図１は、本発明の実施形態に係る除湿システム３０を備えた建造物４２の構成の一例を示す図である。本実施形態は、メンテナンスが容易な建造物除湿システムを提供することを目的とする。
【００１４】
建造物除湿システム３０は、建造物４２と、温風生成器６８と、冷風吸入部７４と、温風供給先切り替え弁５８と、冷風供給先切り替え弁４８と、複数の吸気パイプ（４４ａ〜４４ｂ、以下４４と総称する。）と、複数の除湿剤格納室（４０ａ〜４０ｂ、以下４０と総称する。）と、複数の排出パイプ（４６ａ〜４６ｂ、以下４６と総称する。）と、排出先切り替え部５０と、内部配管５４と、内部直通配管６４と、地下配管６６と、排気配管６０と、排気部５６と、送風ファン５２と、排気ファン５３と、外気吸入ファン６３と、燃料電池７６と、床７０と、壁７２とを備える。建造物除湿システム３０は、建造物４２の床７０の床下に設置された除湿剤格納室４０が格納する除湿剤によって除湿された空気を用いて、建造物４２の内部を除湿する。
【００１５】
燃料電池７６は、発電とともに生じる熱を、温風生成器６８に提供する。燃料電池７６は例えば固体高分子形燃料電池（ＰＥＦＣ）である。温風生成器６８は、燃料電池７６を冷却するための冷却水を循環させることにより、燃料電池７６の排熱を受け取る。温風生成器６８は、外気吸入ファン６３によって取り入れられた温風生成器６８の外部の空気を、燃料電池７６から受け取る冷却水によって温める。温風生成器６８は、燃料電池７６の冷却水によって温められた空気を、温風供給先切り替え弁５８に供給する。このようにして温風生成器６８は、外気を６０度程度にまで温めた温風を生成して、温風供給先切り替え弁５８に供給する。
【００１６】
温風供給先切り替え弁５８は、除湿剤格納室４０に格納される除湿剤を乾燥すべく、温風生成器６８から供給された温風を吸気パイプ４４の任意の一方に供給する。温風供給先切り替え弁５８は、建造物４２の床下の外部に設けられている。
【００１７】
冷風吸入部７４は冷風吸入ファン６２を備え、冷風吸入ファン６２によって取り入れられた建造物４２の外部の空気を、冷風供給先切り替え弁４８に供給する。
【００１８】
冷風供給先切り替え弁４８は、除湿剤格納室４０に格納される乾燥された除湿剤を用いて空気を除湿すべく、冷風吸入部７４から取り入れられた空気を、温風供給先切り替え弁５８が温風を供給している吸気パイプ４４の他方へ供給する。冷風供給先切り替え弁４８は建造物４２の床下の外部に設けられている。
【００１９】
吸気パイプ４４ａおよび吸気パイプ４４ｂは、それぞれ除湿剤格納室４０ａおよび除湿剤格納室４０ｂを、温風供給先切り替え弁５８および冷風供給先切り替え弁４８と接続する。吸気パイプ４４は、建造物４２の外部から除湿剤格納室４０のそれぞれに空気を導く。送風ファン５２は吸気パイプ４４のそれぞれに設けられ、吸気パイプ４４の内部の空気を、除湿剤格納室４０に送風する。送風ファン５２は、建造物４２の床下の外部に設けられている。
【００２０】
除湿剤格納室４０は、空気を除湿する除湿剤を格納する。それぞれの除湿剤格納室４０は建造物４２の床下に設けられている。除湿剤は、例えばシリカゲルやゼオライト等から構成される。除湿剤格納室４０が格納する除湿剤は、吸気パイプ４４を経由して供給される、温風生成器６８が生成した空気によって乾燥（再生）される。また、除湿剤格納室４０が格納する乾燥された除湿剤は、冷風吸入部７４から取り入れられ吸気パイプ４４を経由して供給される空気を除湿する。
【００２１】
除湿剤格納室４０ａおよび除湿剤格納室４０ｂから排出される空気は、それぞれ排出パイプ４６ａおよび排出パイプ４６ｂを経由して排出先切り替え部５０に導かれる。排出先切り替え部５０は、それぞれの除湿剤格納室４０から排出される空気を、排気配管６０、内部配管５４、および内部直通配管６４のいずれかに導く。排出先切り替え部５０は、床下の外部に設けられる。
【００２２】
排出先切り替え部５０は、複数の排出先切り替え弁（８８ａ〜８８ｂ、以下８８と総称する。）を備える。排出先切り替え弁８８ａおよび排出先切り替え弁８８ｂは、それぞれ排出パイプ４６ａおよび排出パイプ４６ｂを、排気配管６０、内部配管５４、および内部直通配管６４のいずれかに接続する。このようにして排出先切り替え部５０は、排出先切り替え弁８８を用いて排出パイプ４６の接続先を切り替えることによって、除湿剤格納室４０を通過した空気を、建造物４２の外部に排出するか、建造物４２の内部に供給するかを制御する。さらに排出先切り替え部５０は、排出パイプ４６から供給される空気を建造物４２の内部に供給する場合には、地下配管６６を用いて建造物４２の内部に供給するか、内部直通配管６４を用いて建造物４２の内部に直接供給するかを制御する。
【００２３】
排気配管６０は、排出先切り替え部５０から供給される空気を排気部５６に導く。排気部５６は排気ファン５３を備える。除湿剤格納室４０を通過して排気配管６０に導かれた空気は、排気ファン５３によって建造物４２の外部に排気される。排気ファン５３は、床下の外部に設けられる。
【００２４】
地下配管６６は、建造物４２の床下よりもさらに地下に設けられる。排出先切り替え部５０から地下配管６６に供給された空気は、地下配管６６経由する間に土壌によって冷却され、内部配管５４に供給される。内部配管５４は、地下配管６６を通過した空気を建造物４２の内部へ導く。
【００２５】
内部直通配管６４は、排出先切り替え部５０から供給される空気を、地下を経由せずに直接建造物４２の内部へ導く。
【００２６】
内部配管５４および内部直通配管６４は、建造物４２の壁７２を形成する内壁と外壁との間に配置されることが好ましい。この場合、内部配管５４および内部直通配管６４は、さらに、内壁と外壁の間の断熱材と、内壁との間に配置されることが好ましい。このように配置することによって、内部配管５４および内部直通配管６４の内部の空気が、建造物４２の各空間に供給される前に外気温から受ける影響を低減できる。
【００２７】
以上説明したように、建造物除湿システム３０が有する可動部は、冷風吸入ファン６２、外気吸入ファン６３、冷風供給先切り替え弁４８、温風供給先切り替え弁５８、送風ファン５２、排出先切り替え弁８８および排気ファン５３である。これらの可動部は、全て建造物４２の床下の外部に設けられているので、システムのメンテナンスが容易である。
【００２８】
また、除湿剤格納室４０が複数備えられており、それぞれの除湿剤格納室４０に空気を導く吸気パイプ４４が接続されているので、除湿剤格納室４０の除湿剤によって除湿された空気を建造物４２の内部に供給している場合に、他の除湿剤格納室４０の除湿剤を乾燥させることができる。また、除湿剤格納室４０の除湿剤によって除湿された空気を、地下配管６６を用いて地下で冷却した後に建造物４２の内部に導くので、除湿剤によって除湿されると同時に温度が上昇した空気を冷却するためのエネルギーを削減できる。
【００２９】
また、建造物４２の床下に、温風が通過する除湿剤格納室４０が備えられているので、建造物４２の床下の温度が上昇することによって、床下が結露することを防げる。このため、床下の結露による建造物４２の劣化を防ぐことができる。
【００３０】
また、排出先切り替え部５０は、除湿剤格納室４０を通過した空気を、地下配管６６を用いて建造物４２の内部に供給するか、内部直通配管６４を用いて直接建造物４２の内部に供給するかを切り替えることができるので、建造物４２の内部を加湿する必要がある場合に、除湿剤格納室４０の除湿剤の水分を吸湿した温風を建造物４２の内部に供給することができる。
【００３１】
また、温風生成器６８が生成した温風を用いて除湿剤格納室４０内の除湿剤を乾燥してから、当該除湿剤格納室４０内の除湿剤を用いて空気の除湿を開始するまでの間に、除湿剤格納室４０の除湿剤、吸気パイプ４４、および排出パイプ４６が冷却される冷却期間をおくことが好ましい。これによって、除湿剤格納室４０の除湿剤、吸気パイプ４４、および排出パイプ４６による、建造物４２の内部に供給される空気の温度の上昇を抑えることができる。
【００３２】
建造物除湿システム３０では、除湿剤格納室４０の除湿剤の吸湿状態に応じて、冷風供給先切り替え弁４８、温風供給先切り替え弁５８、および排出先切り替え弁８８を制御することによって、建造物４２の内部の空調需要をみたすことができる。
【００３３】
建造物除湿システム３０が建造物４２の内部を除湿する場合には、温風供給先切り替え弁５８は、再生を必要とする除湿剤が格納された除湿剤格納室４０に温風生成器６８が生成する温風を供給するよう、温風生成器６８に接続される吸気パイプ４４を切り替える。また、冷風供給先切り替え弁４８は、空気を除湿する除湿剤が格納された除湿剤格納室４０に接続された吸気パイプ４４に建造物４２の外部の空気を供給するよう、冷風吸入部７４に接続される吸気パイプ４４を切り替える。また、温風が供給された除湿剤格納室４０と排出パイプ４６によって接続される排出先切り替え弁８８は、除湿剤格納室４０の除湿剤を乾燥させた後の温風を建造物４２の外部に排出するよう、当該排出パイプ４６と排気配管６０とを接続する。また、冷風吸入部７４から取り入れられた空気が供給される除湿剤格納室４０と排出パイプ４６によって接続される排出先切り替え弁８８は、除湿剤格納室４０の除湿剤によって除湿された後の空気を冷却してから建造物４２の内部に導くよう、当該排出パイプ４６と地下配管６６とを接続する。
【００３４】
また、建造物除湿システム３０が建造物４２の内部を加湿する場合には、温風供給先切り替え弁５８は、再生を必要とする除湿剤が格納された除湿剤格納室４０に、温風生成器６８が生成する温風を供給するよう、温風生成器６８に接続される吸気パイプ４４を切り替える。また、冷風供給先切り替え弁４８は、空気を除湿する除湿剤が格納された除湿剤格納室４０に接続された吸気パイプ４４に建造物４２の外部の空気を供給するよう、冷風吸入部７４に接続される吸気パイプ４４を切り替える。また、温風が供給された除湿剤格納室４０と排出パイプ４６によって接続される排出先切り替え弁８８は、除湿剤格納室４０によって加湿された後の温風を直接建造物４２の内部に導くよう、当該排出パイプ４６と内部直通配管６４とを接続する。また、冷風吸入部７４から取り入れられた空気が供給される除湿剤格納室４０と排出パイプ４６によって接続される排出先切り替え弁８８は、除湿剤格納室４０の除湿剤を加湿した後の空気を建造物４２の外部に排出するよう、当該排出パイプ４６と排気部５６とを接続する。
【００３５】
図２は、建造物除湿システム３０が除湿動作および加湿動作を行う場合の、除湿剤格納室４０、温風供給先切り替え弁５８、冷風供給先切り替え弁４８、および排出先切り替え弁８８の状態の一例を示す図である。建造物除湿システム３０が建造物４２の内部を除湿する場合であって、除湿剤格納室４０ａの除湿剤は、建造物４２の外部の空気の水分を吸湿できる状態であり、除湿剤格納室４０ｂの除湿剤は再生を必要とする状態である場合の、温風供給先切り替え弁５８、冷風供給先切り替え弁４８、および排出先切り替え弁８８の接続状態は以下のとおりとなる。
【００３６】
温風供給先切り替え弁５８は、除湿剤格納室４０ｂに温風を供給すべく、温風生成器６８と吸気パイプ４４ｂとを接続する。また、冷風供給先切り替え弁４８は、除湿剤格納室４０ａに冷風吸入部７４から空気を供給するよう、冷風吸入部７４と吸気パイプ４４ａとを接続する。また、排出先切り替え弁８８ａは、除湿剤格納室４０ａの除湿剤によって除湿された空気を、冷却した後に建造物４２の内部に供給すべく、排出パイプ４６ａと地下配管６６とを接続する。また、排出先切り替え弁８８ｂは、除湿剤格納室４０ｂに格納された除湿剤を乾燥させた後の温風を建造物４２の外部に排出すべく、排出パイプ４６ｂと排気配管６０とを接続する。
【００３７】
また、例えば、建造物除湿システム３０が建造物４２の内部を加湿する場合であって、除湿剤格納室４０ａの除湿剤は建造物４２の外部の空気の水分を吸湿できる状態であり、除湿剤格納室４０ｂの除湿剤は再生を必要とする場合の、温風供給先切り替え弁５８、冷風供給先切り替え弁４８、および排出先切り替え弁８８の接続状態は以下のとおりとなる。
【００３８】
温風供給先切り替え弁５８は、除湿剤格納室４０ｂに温風を供給すべく、温風生成器６８と吸気パイプ４４ｂとを接続する。また、冷風供給先切り替え弁４８は、除湿剤格納室４０ａに冷風吸入部７４から空気を供給するよう、冷風吸入部７４と吸気パイプ４４ａとを接続する。また、排出先切り替え弁８８ｂは、除湿剤格納室４０ｂに格納された除湿剤によって加湿された後の温風を直接建造物４２の内部に供給すべく、排出パイプ４６ｂと内部直通配管６４とを接続する。また、排出先切り替え弁８８ａは、除湿剤格納室４０ａの除湿剤を加湿した空気を建造物４２の外部に排出すべく、排出パイプ４６ａと排気配管６０とを接続する。
【００３９】
このように、一方の除湿剤格納室４０の除湿剤が、当該除湿剤格納室４０を通過する空気を除湿しているときに、他方の除湿剤格納室４０の除湿剤は、当該除湿剤格納室４０を通過する温風によって乾燥される。したがって、建造物４２の除湿需要または加湿需要を継続的にみたすことができる。
【００４０】
図３は、除湿剤格納室４０の除湿剤の吸湿率の時間発展の一例を示す図である。線６１２および線６１４は、それぞれ除湿剤格納室４０ａおよび除湿剤格納室４０ｂに格納される除湿剤の吸湿率の時間発展の一例を示す。時刻０において、除湿剤格納室４０ａの除湿剤は、除湿剤格納室４０ａを通過する空気を除湿する過程にある。また、時刻０において、除湿剤格納室４０ｂの除湿剤は、除湿剤格納室４０ａを通過する温風によって乾燥される過程にある。除湿剤格納室４０ａの除湿剤が、予め定めた第１の吸湿率に到達した場合に（時刻ｔ１）、温風供給先切り替え弁５８を制御することによって除湿剤格納室４０ｂへの温風の供給を停止する。さらに、除湿剤格納室４０ａの除湿剤が、予め定めた第２の吸湿率に到達した場合に（時刻ｔ２）、温風供給先切り替え弁５８を制御することによって、除湿剤格納室４０ａに温風の供給を開始する。また同時に、冷風供給先切り替え弁４８を制御することによって、冷風吸入部７４から除湿剤格納室４０ｂへ空気の供給を開始する。
【００４１】
さらに、除湿剤格納室４０ｂの除湿剤が、予め定めた吸湿率の第１の吸湿率に到達した場合に（時刻ｔ３）、温風供給先切り替え弁５８を制御することによって除湿剤格納室４０ａへの温風の供給を停止する。さらに、除湿剤格納室４０ｂの除湿剤が、予め定めた吸湿率の第２の吸湿率に到達した場合に（時刻ｔ４）、温風供給先切り替え弁５８を制御することによって、除湿剤格納室４０ｂに温風の供給を開始する。また同時に、冷風供給先切り替え弁４８を制御することによって、除湿剤格納室４０ａへの冷風吸入部７４からの空気の供給を開始する。
【００４２】
このようにして、冷風吸入部７４からの空気を除湿している除湿剤格納室４０の除湿剤の吸湿率が予め定めた第１の吸湿率に到達した場合に、他方の除湿剤格納室４０への温風の供給を停止することによって、温風を供給していた除湿剤格納室４０の除湿剤、吸気パイプ４４および排出パイプ４６を冷却した後に、建造物４２の内部を除湿する空気を供給することができる。これによって、建造物４２の内部に供給する空気の温度の上昇を抑えることができる。また、冷風吸入部７４からの空気を除湿している除湿剤格納室４０の除湿剤の吸湿率が予め定めた第２の吸湿率に到達した場合に、建造物４２の内部を除湿するために冷風吸入部７４から取り入れた空気を、既に乾燥された除湿剤を格納する他方の除湿剤格納室４０に供給することで、建造物４２の除湿需要を継続的にみたすことができる。
【００４３】
また、建造物除湿システム３０は、建造物４２の内部を除湿する必要がない場合に、予め複数の除湿剤格納室４０の除湿剤を再生してもよい。また、建造物除湿システム３０は、３以上の除湿剤格納室４０を備えてもよい。この場合、一の除湿剤格納室４０の除湿剤を用いて建造物４２の内部を除湿しつつ、他の複数の除湿剤格納室４０の除湿剤を予め再生させておくことができる。これによって、建造物４２の除湿需要が増加することによって、除湿剤格納室４０の除湿剤が冷風吸入部７４から取り入れた空気から吸湿する水分の時間あたりの量が、除湿剤格納室４０の除湿剤が温風によって吸湿される水分の時間あたりの量に比べて少ない場合であっても、予め再生しておいた除湿剤格納室４０の除湿剤を用いて建造物４２の内部を除湿することができる。
【００４４】
以上の説明から明らかなように本実施形態によれば、除湿剤を格納するする複数の除湿剤格納室４０が建造物４２の床下に設けられおり、吸気パイプ４４は除湿剤格納室４０のそれぞれに空気を導く。また温風供給先切り替え弁５８は除湿剤格納室４０の除湿剤を乾燥すべく、吸気パイプ４４の任意の一方に温風を供給する。また冷風供給先切り替え弁４８は、乾燥された除湿剤によって空気を除湿すべく、温風よりも温度の低い、建造物４２の外部の空気を吸気パイプ４４の他方へ供給する。したがって、除湿剤格納室４０に格納された除湿剤を用いて乾燥させた空気を供給することで建造物４２の内部を除湿しつつ、他の一方の除湿剤格納室４０に格納された除湿剤を再生することができる。
【００４５】
内部配管５４は除湿剤格納室４０に格納された除湿剤によって除湿された空気を、地下配管６６を用いて地下で冷却した後に建造物４２の内部に導くので、除湿剤によって乾燥されると同時に温度が上昇した空気を冷却するためのエネルギーを削減できる。
【００４６】
また、内部直通配管６４は、除湿剤格納室４０を通過した空気を、地下を経由せずに直接建造物４２の内部へ導く。また、排出先切り替え部５０は、建造物４２の内部を除湿する場合に、除湿剤格納室４０を通過した、冷風吸入部７４から取り入れられた空気を、地下配管６６を用いて建造物４２の内部へ導く。また建造物４２の内部を加湿する場合には、除湿剤格納室４０を通過した、温風生成器６８が生成した温風を、内部直通配管６４を用いて建造物４２の内部へ導く。このようにして建造物除湿システム３０は、建造物４２の内部を加湿する必要がある場合でも、除湿剤格納室４０の除湿剤によって加湿された空気を、内部直通配管６４を経由して建造物４２の内部に供給することができる。
【００４７】
本実施形態で説明した建造物除湿システム３０によれば、可動部が床下の外部に設けられるので、システムのメンテナンスが容易である。
【００４８】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００４９】
【図１】本発明の実施形態に係る建造物除湿システム３０の構成の一例を示す。
【図２】建造物除湿システム３０が除湿動作および加湿動作を行う場合の、除湿剤格納室４０、温風供給先切り替え弁５８、冷風供給先切り替え弁４８、および排出先切り替え弁８８の状態の一例を示す。
【図３】除湿剤格納室４０の除湿剤の吸湿率の時間発展の一例を示す。
【符号の説明】
【００５０】
３０・・・建造物除湿システム、４０・・・除湿剤格納室、４２・・・建造物、４４・・・吸気パイプ、４６・・・排出パイプ、４８・・・冷風供給先切り替え弁、５０・・・排出先切り替え部、５２・・・送風ファン、５３・・・排気ファン、５４・・・内部配管、５６・・・排気部、５８・・・温風供給先切り替え弁、６０・・・排気配管、６２・・・冷風吸入ファン、６３・・・外気吸入ファン、６４・・・内部直通配管、６６・・・地下配管、６８・・・温風生成器、７０・・・床、７２・・・壁、７４・・・冷風吸入部、７６・・・燃料電池、８８・・・排出先切り替え弁
【図１】
2006052893.tif 000003
【図２】
2006052893.tif 000004
【図３】
2006052893.tif 000005